(57)【要約】【課題】  本発明の目的は、タリーライトの視認性向上とカバー着脱作業性向上を両立することを可能にした光学装置を提供することである。【解決手段】  上記目的を達成するために、本発明の光学装置は、光学部材と、前記光学部材を保持する光学保持部と、前記光学保持部に着脱可能であって、窓部を有するカバーと、光源と、前記光学保持部に接続され、前記光源を保持するとともに、前記光源と前記窓部との間隔を変える可動部と、を有することを特徴とする。【選択図】  図１
2019003013.tif 000002
【特許請求の範囲】
【請求項１】
光学部材と、
前記光学部材を保持する光学保持部と、
前記光学保持部に着脱可能であって、窓部を有するカバーと、
光源と、
前記光学保持部に接続され、前記光源を保持するとともに、前記光源と前記窓部との間隔を変える可動部と、を有する
ことを特徴とする光学装置。
【請求項２】
前記可動部は、前記光源の位置を、
前記窓部と近接した位置である近接位置と、
前記近接位置よりも前記窓部から前記光学保持部の方向に離れた位置である退避位置と、に変更する
ことを特徴とする請求項１に記載の光学装置。
【請求項３】
前記カバーが前記光学保持部に装着された状態において、前記光学部材の光軸方向に前記カバーを見た場合に、
前記カバーは凹形状を有しており、
前記可動部が前記近接位置に前記光源の位置を変更した場合に、前記光源の位置が前記凹形状の少なくとも一部の領域に重なる
ことを特徴とする請求項２に記載の光学装置。
【請求項４】
前記可動部は、
前記光学保持部に接続した軸部材と、
前記光源を保持し、前記軸部材を中心に回動する光源保持部材と、
駆動伝達手段と、を有し、
前記駆動伝達手段は前記光源保持部材を回動させることにより前記光源の位置を変更する
ことを特徴とする請求項１乃至３のいずれか一項に記載の光学装置。
【請求項５】
前記カバーと前記光学保持部の着脱の情報を取得する取得部と、
前記可動部を駆動させる駆動部と、
前記駆動部を制御する制御部と、を有し、
前記制御部は、前記カバーが前記光学保持部に装着されていない状態を示す情報を前記取得部が取得した場合、前記光源の位置を前記退避位置に移動させ、
前記カバーが前記光学保持部に装着されている状態を示す情報を前記取得部が取得した場合、前記光源の位置を前記近接位置に移動させるよう前記駆動部を制御する
ことを特徴とする請求項２乃至４のいずれか一項に記載の光学装置。
【請求項６】
前記制御部は、前記光源の位置が前記近接位置、および前記退避位置とは異なる目標位置に変更されるように前記駆動部を制御する
ことを特徴とする請求項５に記載の光学装置。
【請求項７】
前記光学装置に電源が投入されていない状態においては、前記取得部の取得する情報によらず、前記光源は前記退避位置に保持される
ことを特徴とする請求項５または６に記載の光学装置。
【請求項８】
前記取得部が所定の時間以上、前記カバーが前記光学保持部に装着されている状態を示す情報を取得した場合に、前記駆動部は前記光源の位置を前記近接位置に移動させる
ことを特徴とする請求項５乃至７のいずれか一項に記載の光学装置。
【請求項９】
前記カバーが前記光学保持部に装着されるときの操作力を動力源として前記可動部が動作する
ことを特徴とする請求項１乃至４のいずれか一項に記載の光学装置。
【請求項１０】
前記可動部は前記光学保持部に対して相対移動が可能な検出部を有し、
前記検出部は、前記駆動伝達手段に接続しており、
前記検出部は、前記カバーが前記光学保持部に装着されるときの操作力を受けた場合、前記駆動伝達手段を介して前記操作力を前記軸部材および前記光源保持部材に伝達し、回動させることによって前記光源の位置を変更することが可能である
ことを特徴とする請求項４に記載の光学装置。
【請求項１１】
撮像素子を含むカメラと、
請求項１乃至１０のいずれか一項に記載の光学装置と、を有することを特徴とする撮像装置。
【発明の詳細な説明】
【技術分野】
【０００１】
本発明はレンズ装置、およびこれを有する撮像装置に関し、特にタリーライトを有するレンズ装置に関するものである。
【背景技術】
【０００２】
レンズ装置の内部に光源を設け、該光源からの光を、窓部を通じて被撮影者に視認させることのできるレンズ装置が知られている。内部光源を点灯、消灯させることによって、被撮影者にレンズ装置の撮影状態を伝える構成は、タリーライトと呼ばれる。
【０００３】
特許文献１にはタリーライトの光源に屈曲させた発光ダイオードを用いて視認性を向上したテレビレンズ装置が開示されている。特許文献２にはタリーライトの光を遮らないようにレンズカバーの前側に斜面を設けて視認性を向上したテレビレンズ装置が開示されている。
【先行技術文献】
【特許文献】
【０００４】
【特許文献１】特開２００５−３５２２８１号公報
【特許文献２】特開２００８−１２４９１３号公報
【発明の概要】
【発明が解決しようとする課題】
【０００５】
上述の特許文献１、２に開示されたレンズ装置では、光源が、レンズのカバーに設けられた窓部に近接しているため、カバー着脱の際の作業性が低下する課題があった。特許文献２のレンズ装置ではレンズのカバーの内側に凹んだ取っ手を設けているため、光源とカバーとの間隔が更に小さくなり、カバーの着脱がより困難になる課題があった。
【０００６】
一方で、カバー着脱の際の作業性を向上させるために光源をカバーから遠ざけると、光源が窓部からも遠ざけられることになる。このため、一般的に用いられているＬＥＤのような指向性の高い光源を用いると、その視認性が低下してしまう。
【０００７】
そこで、本発明の目的は、タリーライトの視認性向上とカバー着脱作業性向上を両立することを可能にした光学装置を提供することである。
【課題を解決するための手段】
【０００８】
上記目的を達成するために、本発明の光学装置は、光学部材と、前記光学部材を保持する光学保持部と、前記光学保持部に着脱可能であって、窓部を有するカバーと、光源と、前記光学保持部に接続され、前記光源を保持するとともに、前記光源と前記窓部との間隔を変える可動部と、を有することを特徴とする。
【発明の効果】
【０００９】
本発明によれば、タリーライトの視認性向上とカバー着脱作業性向上を両立することを可能にした光学装置を提供することができる。
【図面の簡単な説明】
【００１０】
【図１】第一の実施例のレンズカバー分離時の側面図
【図２】第一の実施例のレンズ装置の側面図
【図３】第一の実施例のＡ−Ａ断面図
【図４】第一の実施例の可動式光源ユニットの説明図
【図５】第一の実施例のＢ−Ｂ断面図
【図６】第一の実施例のＢ−Ｂ断面図
【図７】第一の実施例の可動式光源ユニットの動作説明図
【図８】第二の実施例のレンズカバー分離時の側面図
【図９】第二の実施例のレンズ装置の側面図
【図１０】第二の実施例の可動式光源ユニットの説明図
【図１１】第二の実施例の可動式光源ユニットの説明図
【発明を実施するための形態】
【００１１】
以下に、本発明の好ましい実施の形態を、添付の図面に基づいて詳細に説明する。図１から図１１は、本発明の実施形態にかかわるレンズ装置（光学装置）である。
【００１２】
（実施例１）
１−１．概要
以下、図１から図７を参照して、本発明の第１の実施例における撮影装置について説明する。
【００１３】
１−２．構成
１−２−１．レンズ装置１０３の構成
はじめに図１から図３に基づいて、レンズカバー（カバー）１０１と、レンズ等の光学部材を保持するレンズ本体（光学保持部）１０２から構成されるレンズ装置１０３について、詳細に説明する。
【００１４】
図１は、レンズカバー１０１とレンズ本体１０２が分離している状態の側面図を示している。図２は、レンズカバー１０１をレンズ本体１０２に装着している状態の側面図を示している。図３（ａ）は図２のＡ−Ａ断面図を、図３（ｂ）は図３（ａ）中に示されたＣ部（取っ手部）の拡大図を、それぞれ示している。
【００１５】
レンズ装置１０３では、レンズカバー１０１は着脱可能であり、使用者はこれをレンズ本体１０２に装着してからレンズ装置１０３を使用する。レンズカバー１０１は、例えばビス止めなどの公知の手段によってレンズ本体１０２に固定される。
【００１６】
レンズカバー１０１は、取っ手部Ｃを有している。また、レンズカバー１０１には切欠き部１１が形成されており、切欠き部１１にはこれを覆うように窓部１２が設けられている。
【００１７】
図２に示すように、切欠き部１１はレンズカバー１０１の側面の上部に形成されている。図２で示された側面の反対側の面であって、不図示の側面にも、同じく切欠き部が形成されている。
【００１８】
窓部１２は、切欠き部１１から露出している。窓部は、光源からの光を透過する部材であり、より好ましくは透明な部材が望ましい。
【００１９】
切欠き部１１、および窓部１２の配置は、被撮影者からの視認性が良い、レンズカバー１０１の両側面の上部であることが好ましい。しかし、これらの配置はレンズカバー１０１の両側面の上部に限られない。例えば、切欠き部１１、および窓部１２を被撮影者の側の面（レンズ装置１０３の正面）であって、レンズ等の光学部材と重ならない位置に配置することも可能である。
【００２０】
図３に示すように、レンズカバー１０１の両側面の上部には、壁面１０で囲まれた凹形状が設けられており、この凹形状は取っ手部Ｃとして機能する。レンズ装置１０３は床に置くこともあるため、取っ手部Ｃは撮影者が持ちやすい、レンズカバー１０１の両側面の上部に形成されていることが一般的である。しかし、取っ手部の位置はこれに限られず、例えば上面に取っ手部を構成してもよい。
【００２１】
レンズ本体１０２は、可動部を含む可動式光源ユニット１０４、検出センサ（取得部）１０５を備えている。
【００２２】
可動式光源ユニット１０４は、被撮影者が窓部１２を通じて視認できる光の光源１９（タリーライトの光源１９）を有しており、窓部１２と略対向してレンズ本体１０２に取付けられている。可動式光源ユニット１０４は、光源１９を移動させることができ、詳細は後述する。光源１９には、例えばＬＥＤや有機ＥＬ照明など公知の発光手段を用いることができる。
【００２３】
検出センサ１０５は、レンズカバー１０１がレンズ本体１０２に装着された状態と、装着されていない状態の情報を取得することができるセンサである。そして検出センサ１０５は、レンズ制御部Ｆ（図４）と接続されている。検出センサ１０５は、例えばフォトインタラプタやマイクロスイッチなどの公知の検出手段で構成される。本実施形態においては、検出スイッチを用いている。
【００２４】
１−３．可動式光源ユニット１０４の構成、動作、および効果
１−３−１．可動式光源ユニット１０４の構成
続いて図４に示す可動式光源ユニット１０４の構成について詳細に説明する。
【００２５】
可動式光源ユニット１０４は、可動部と、可動部を駆動するモーター（駆動部）２２と、光源１９を有する。
【００２６】
まず可動部は、ベース部材１３、軸支持板金１４、軸（軸部材）１５、軸受１６、止め輪１７、光源保持部材１８、およびギア大２０とギア小２１からなる駆動伝達手段から構成される。
【００２７】
ベース部材１３は、レンズ本体１０２に接続する。本実施例においては板金で構成されている。
【００２８】
ベース部材１３には、軸支持板金１４が接続される。軸支持板金１４は、軸受１６を介して軸１５の両端を回転可能に支持する。
【００２９】
更に、軸１５には、光源１９を保持する光源保持部材１８が接続している。本実施例においては、光源保持部材１８は板金で構成され、矩形の板状の形状を備えている。光源保持部材１８の一端（矩形形状の有する４辺のうちの１辺）が軸１５に接続しているので、軸１５が回動されると、光源保持部材１８は軸１５を回転中心軸として、接続していない方の他端が持ちあげられるように回転する。止め輪１７は軸１５の抜け止めである。
【００３０】
軸１５の一方の端にはギア大２０が設けられる。ギア大２０は、さらにモーター２２の端に設けられたギア小２１と噛み合っている。したがって、モーター２２が駆動すると、ギア大２０、ギア小２１によって駆動力が伝達され、軸１５が回動される。
【００３１】
なお、モーター２２は、レンズ制御部Ｆと接続されている。
【００３２】
モーター２２には、公知の駆動手段を用いることができるが、より好ましくは、回転角の制御が容易であり、所望の角度に達した後は、通電していればその角度を保つことのできるステッピングモーター（ＳＴＭ）が望ましい。
【００３３】
１−３−２．退避位置の説明
前述した可動部が稼働することによって、光源１９が移動される。言い換えれば、ベース部材１３およびレンズ本体１０２に対する光源１９の相対位置が変わる。
【００３４】
また本実施例においては、光源１９は、２つの位置の間で移動される。言い換えれば、可動部は、少なくとも二つの位置で光源１９を安定して保持することができる。第１の位置は、レンズカバー１０１（および窓部１２）と光源１９の間隔が十分に離れた退避位置である。第２の位置は、窓部１２（およびレンズカバー１０１）と光源の間隔が近接する近接位置である。
【００３５】
はじめに退避位置について説明する。図５に光源１９が退避位置にある状態における（ａ）図２のＢ−Ｂ断面図と、（ｂ）図５（ａ）のＤ部の拡大図を示す。また、本実施例では、取っ手部（凹形状）が、窓部１２の一部を含む壁面１０で構成されている。
【００３６】
図５に示す退避状態においては、光源１９が、窓部１２を含むレンズカバー１０１からレンズ本体１０２の方向に離れた（間隔の離れた）位置に保持される。退避位置は、光源１９がレンズ本体１０２に近接した位置でもある。光源１９を退避位置に保持する構成としては、例えば光源保持部材１８が、退避位置においてストッパ（不図示）に当接する構成をとることができる。
【００３７】
光源１９が退避位置にある状態においては、光源１９と、窓部１２を含むレンズカバー１０１の間隔が離れるので、レンズカバー１０１をレンズ本体１０２に着脱する際に、レンズカバー１０１と光源１９とが干渉するのを抑制することができる。なお光源１９の退避位置が、後述する近接位置に比較して、相対的にレンズ本体１０２の径方向の内側であれば、本発明の効果を得ることができる。
【００３８】
１−３−３．近接位置の説明
続いて、近接位置について説明する。図６に光源１９が近接位置にある状態における（ａ）図２のＢ−Ｂ断面図と（ｂ）図６（ａ）のＥ部の拡大図を示す。
【００３９】
図６に示す近接状態においては、光源１９と、窓部１２との間隔が狭くなっている。したがって窓部１２を通過する（透過する）光源１９からの光が、光源１９が退避位置にある場合に比べて、相対的に多くなる。したがって、タリーライトの視認性を向上させることが可能になる。
【００４０】
１−３−４．可動式光源ユニット１０４の動作
続いて、レンズ制御部Ｆ（図４）が行う可動式光源ユニット１０４の動作の制御処理について、図７のフローチャートに基づいて説明する。レンズ制御部Ｆは、コンピュータプログラムとしての動作の制御プログラムに従って本処理を実行する。
【００４１】
レンズ制御部Ｆによる可動式光源ユニット１０４の動作の制御の前提として、レンズ装置１０３に電源がＯＦＦの状態おいては、可動式光源ユニット１０４における光源１９、および光源保持部材１８は退避位置に保持されている。
【００４２】
本実施例においては、レンズ装置１０３の電源がＯＦＦの状態であれば、モーター２２が光源を近接位置に保持する力を出力しない。光源１９および光源保持部材１８は、自重によって、退避位置に移動する。退避位置では、例えば光源保持部材１８がストッパ（不図示）に接触することによって、光源１９、および光源保持部材１８は安定して保持される。
【００４３】
なお、電源がＯＦＦの状態で、光源が退避位置に保持される構成はこれに限られない。例えばレンズ制御部Ｆ（図４）が、レンズ装置１０３の電源をＯＦＦにされる操作の情報を取得したら、光源を退避位置に移動させるようにモーター２２を制御したのち、レンズ装置１０３の電源をＯＦＦにするように構成することも可能である。
【００４４】
使用者によってレンズ装置１０３の電源が投入されると、レンズ制御部Ｆに電源が供給される。以下は、制御手段としてのレンズ制御部Ｆが行う処理（制御方法）である。
【００４５】
Ｓ００３において、レンズ制御部Ｆは、レンズカバー１０１がレンズ本体１０２に装着されているか否か、カバー検出センサ１０５を用いて判定する。
【００４６】
レンズカバー１０１が装着された状態を示す情報を取得したレンズ制御部Ｆは、Ｓ００２において、カバー検出センサ１０５が所定の時間以上、レンズカバー１０１が装着された状態を検出するかどうかを判定する。レンズ制御部ＦはＳ００２を実行することで、レンズカバー１０１が安定して装着されるまで、不要に可動式光源ユニット１０４を動作させない効果を生じる。所定の時間の設定は任意であり、使用者が設定できるよう構成してもよい。なお、レンズ制御部ＦがＳ１０２を有さない構成でも、本発明の実施は可能である。
【００４７】
所定の時間以上、レンズカバー１０１が装着された状態を示す情報を取得したと判定したレンズ制御部Ｆは、Ｓ００３において、光源１９及び光源保持部材１８の位置を退避位置から近接位置に移動する指令をモーター２２に出す。モーター２２が動作すると、光源１９の位置は退避位置から近接位置に移動される。なお、既に光源１９が近接位置にいる場合は、近接位置を維持する。
【００４８】
Ｓ００１において、レンズカバー１０１が装着されていない状態を示す情報を取得した場合のレンズ制御部Ｆは、Ｓ１０３において、光源１９及び光源保持部材１８の位置を近接位置から退避位置に移動する指令をモーター２２に出す。なお、既に光源１９が退避位置にいる場合は、退避位置を維持する。
【００４９】
Ｓ００２において、所定の時間以上、レンズカバー１０１が装着された状態を示す情報を取得しなかったと判定した場合、レンズ制御部Ｆは、同様にＳ１０３において、光源１９の位置を退避位置に移動する指令をモーター２２に出す。なお、既に光源１９が退避位置にいる場合は、退避位置を維持する。
【００５０】
退避位置へ移動させる構成は、前述のようにモーター２２への通電を遮断して、自重で退避位置に移動させる構成でもよいし、あるいはモーター２２を制御することで近接位置から退避位置に光源の相対位置を明示的に移動させてもよい。
【００５１】
レンズ制御部Ｆは、レンズ装置１０３の電源がＯＦＦにされるまで、Ｓ００１、Ｓ００２、およびＳ００３またはＳ１０３の動作を繰り返す。
【００５２】
１−３−５．可動式光源ユニット１０４の効果
以上のように本実施例では可動式光源ユニット１０４の光源１９は、レンズ装置１０３の電源が入っている場合、かつレンズカバー１０１がレンズ本体１０２に（所定時間以上）装着されている場合を除いて、退避位置に保持される。言い換えると光源１９は、レンズカバー１０１の装着、非装着の状態によらず、レンズ装置１０３の電源が入っていない場合には退避位置に保持されている。
【００５３】
したがって、使用者がまさにレンズカバー１０１をレンズ本体１０２に取り付けようとしている最中も、光源１９は退避位置に保持される。電源が入っている状態でカバー１０１を外した場合は、速やかにカバー検出センサ１０５がカバー１０１を外したことを検出し、光源１９は退避位置に移動する。
【００５４】
本実施例の制御によれば、光源１９は、電源がＯＮの状態でもＯＦＦの状態でも、レンズカバー１０１が着脱される場合は退避位置に保持されている。この場合は、光源１９とレンズカバー１０１との間隔が広いので、レンズカバー１０１の着脱の作業時にこれらの接触する可能性は低い。つまり、使用者はレンズ本体１０２にレンズカバー１０１を作業性よく着脱することができる。
【００５５】
本発明は、レンズ本体１０２にレンズ装置１０３の設定を変更するための操作のインターフェースが設けられていたり、レンズ本体１０２に端子を接続したりするために、レンズカバー１０１を頻繁に着脱する用途において、更に効果を発揮することができる。
【００５６】
一方で、レンズ装置１０３の電源がＯＮの状態においては、レンズ本体１０２にレンズカバー１０１が取り付けられた後、可動式光源ユニット１０４の光源１９は近接位置にいる。前述のように近接位置では、光源１９とレンズカバー１０１とが近接しているため、光源１９が点灯した際の窓部１２の視認性が向上する。
【００５７】
以上の構成によって、タリーライトの視認性向上とカバー着脱作業性向上を両立したテレビレンズ装置を提供することができる。
【００５８】
（変形例）
さらに本実施例では、カバーの装着が完了するまでは、光源が退避位置に保持されているので、光源が退避したことでできるスペースを活用することができる。
【００５９】
例えばレンズ本体にレンズカバーを装着する向きにレンズ装置を見た場合（本実施例では被写体側から光軸方向にレンズ装置を見た場合）、取っ手等の凹形状を、光源の近接位置と重複する領域に設けることができる。
【００６０】
光源が固定であれば、上述のようなレンズカバーの装着時に光源が通過する領域に、凹形状を設けることができない。凹形状が光源と干渉して、レンズカバーがレンズ本体に装着できないためである。しかし本実施例では、光源がレンズカバー装着前には退避位置に移動している。したがって、レンズカバーを装着する向きから見て、光源の位置と重複する領域に取っ手等の凹形状を設けても、この凹形状が光源の周囲を通過するとき、凹形状と光源とは干渉しない。
【００６１】
このように、取っ手等の凹部の配置の制約が少なくなるうえ、把持しやすいよう大きな取っ手用の凹部を設けることも可能である。
【００６２】
本実施例においては、レンズカバーの着脱の情報を取得する取得部が本体に設けられる。この構成によって、レンズカバーをよりローコストで構成することができる。例えば、レンズカバーのみを用途に応じて変更する場合や、レンズカバーが破損した場合等の交換コストを抑制できる。
【００６３】
本実施例においては、可動式光源ユニット１０４の退避動作の動力源に磁力を用いる構造でもよい。
【００６４】
また本実施例においてはレンズカバー１０１の両側面上部に窓部１２を配置する例で説明したが、窓部１２の配置は限定されない。レンズ本体１０２上に可動式光源ユニット１０４を取付けることが可能で、略対向する位置に窓部１２を設ける配置であれば、本発明は実施可能である。
【００６５】
なお、本実施例においては退避位置と近接位置の二つの位置で光源１９を保持できる例で説明したが、更に複数の位置で、任意のタイミングで、光源１９を保持するようにモーター２２を制御しても良い。
【００６６】
具体的には、光源の移動先の位置の情報を取得する目標取得部をさらに設け、光源が、近接位置、退避位置、および任意の目標位置に移動される構成としても良い。光源の目標位置は、近接位置と、退避位置とは異なる位置である。目標位置は、近接位置と、退避位置の間にひろがる領域に位置してもよいし、近接位置の近傍に位置して、近接位置の微調整のために用いられてもよい。レンズ制御部Ｆが光源の位置をこのように制御することで、例えばタリーライト視認性を、被撮影者の見え方や感じ方に応じて調整することができる。
【００６７】
（実施例２）
２−１．概要
以下、図８から図１１を参照して、本発明の第２の実施例による、撮影装置について説明する。
【００６８】
本実施例では、可動式光源ユニット２０４の構成が実施例１の構成と異なる。また、カバー検出の方法が異なる。以下、実施例１とは異なる部分についてのみ説明を行い、その他同一の部分については同一の符号を付して、説明を省略する。
【００６９】
２−２．構成
図８にレンズカバー（カバー）２０１とレンズ等の光学部材を保持するレンズ本体（光学保持部）２０２が分離している状態のレンズ装置（光学装置）２０３の側面図を示す。図９にレンズカバー２０１をレンズ本体２０２に装着している状態のレンズ装置２０３の側面図を示す。
【００７０】
レンズカバー２０１は、カバー凸部２０５を備えている。カバー凸部２０５は、レンズカバー２０１の内側の壁面に設けられた凸形状の部材である。カバー凸部２０５は、本実施例におけるレンズカバー２０１の検出部であるカバー凸部検出板３２（可動式光源ユニット２０４の一部）と接触する位置に配置されている。接触については後述する。
【００７１】
レンズ本体２０２は、可動部を含む可動式光源ユニット２０４を備えている。可動式光源ユニット２０４は、窓部１２を通じて視認できる光の光源１９を有している。可動式光源ユニット２０４は、窓部１２と略対向してレンズ本体２０２に取付けられている。
【００７２】
２−３．可動式光源ユニット２０４の動作と効果
２−３−１．可動式光源ユニット２０４の構成
図１０に基づいて、可動式光源ユニット２０４の構成について詳細に説明する。
【００７３】
可動式光源ユニット２０４は、可動部と、レンズカバー２０１の装着された状態を検出する検出部と、光源１９を備えている。
【００７４】
可動部は、ベース部材２３、軸支持板金２４、軸（軸部材）２５、止め輪２６、軸受２７、光源保持板金２８を有する。
【００７５】
検出部は、カバー凸部検出板３２であり、傘歯車小２９、傘歯車大３０、傘歯車支持軸３１から構成される駆動伝達手段によって可動部に接続している。
【００７６】
ベース部材２３上には軸支持板金２４が配置されている。軸支持板金２４は、軸受２７を介して軸２５の両端を回転可能に支持する。止め輪２６は軸２５の抜け止めである。
【００７７】
また、軸２５は、光源１９を保持する光源保持板金２８と接続している。軸２５の一方の端には傘歯車小２９が設けられ、傘歯車大３０と噛み合っている。傘歯車大３０にはカバー凸部検出板３２が一体的に接続しており、これらはユニット保持板金２３に固定された傘歯車支持軸３１を中心として回転する。
【００７８】
本実施例では、前述のカバー凸部検出板３２が、カバーの装着の状態、非装着の状態の情報を取得する検出手段である。この構成を説明する。
【００７９】
前述のように、カバー凸部２０５は、レンズカバー２０１をレンズ本体２０２に装着した状態で、カバー凸部検出板３２と接触する位置に配置されている。したがって、レンズカバー２０１の取り付け操作力によって、カバー凸部２０５がカバー凸部検出板３２を押すことになる。
【００８０】
カバー凸部検出板３２が押され、光学保持部に対して相対移動すると、カバー凸部検出板３２は同軸の傘歯車大３０とともに回転移動する。そうすると、この傘歯車大３０に噛み合う傘歯車小２９が回転する。これらの駆動伝達手段により、操作力が伝達され、傘歯車小２９と同軸の光源保持板金２８が回動することになる。
【００８１】
すなわち、以上の構成により、本実施例では取り付け操作力が可動式光源ユニット２０４の動力源となる。
【００８２】
２−３−２．可動式光源ユニット２０４の動作
図１０と図１１を用いて、可動式光源ユニット２０４の動作について詳細に説明する。
【００８３】
図１０は、レンズ本体２０２にレンズカバー２０１が取付けられていない状態の可動式光源ユニット２０４を示している。このとき、カバー凸部２０４とカバー凸部検出板３２は接触しない。したがって、光源１９及び光源保持板金２８は、自重でレンズ本体２０２側の退避位置に保持された状態となる。
【００８４】
図１１は、レンズ本体２０２にレンズカバー２０１が取付けられた後の状態の光源ユニット２０４を示している。カバー凸部２０５とカバー凸部検出板３２とは、接触する位置関係である。この状態においては、カバー凸部２０５がカバー凸部検出板３２を押して、傘歯車大３０が回転し、傘歯車小２９に回転力が伝わる。
【００８５】
傘歯車小２９は、軸２５と同軸であるから軸２５を回転させる。軸２５は、光源１９を保持する光源保持板金２８と接続している。光源保持板金２８は、その一端で軸２５に接続しているので、軸２５が回転すると、軸２５を回転中心として回動される。この回動によって、光源保持板金２８の接続していない方の他端が相対的に持ち上がり、図１１で示される状態に至る。したがって、光源１９が窓部１２に近接した近接位置まで移動する。
【００８６】
本実施例では、カバー凸部２０５がカバー凸部検出板３２を押した量に応じて、すなわち検出部の移動量に応じて光源１９の移動量が決まる。したがって、カバー凸部２０５とカバー凸部検出板３２の接触する位置関係を調整することで、可動式光源ユニット２０４の近接位置（窓部１２の近接の度合い）を微調整することができる。例えば、カバー凸部２０５の凸量が調整できる構成を備えると更に好ましい。例えば、カバー凸部２０５にスペーサー部材を取り付け可能なように公知の接続手段を予め設ければよい。
【００８７】
以上の構成により、可動式光源ユニット２０４は、レンズ本体２０２にレンズカバー２０１が取り付けられた後を除いて、退避位置にいる。退避位置では、レンズカバー２０１と光源１９が十分に離れているため、レンズ本体２０２にレンズカバー２０１を作業性よく着脱できる。
【００８８】
一方で、レンズ本体２０２にレンズカバー２０１が取付けられた後は、近接位置にいる。近接位置では、レンズカバー２０１と光源１９が近接しているため、光源１９が点灯した際に窓部１２の視認性が向上する。
【００８９】
本実施例における可動式光源ユニット２０４は電源を必要としないため、レンズ装置２０３の消費電力を低減しながら、タリーライトの視認性向上とカバー着脱作業性向上を両立できる。
【００９０】
なお本実施例においては、可動式光源ユニット２０４の退避は磁力を用いてレンズ本体２０２側に位置させる構造でもよい。
【００９１】
また本実施例においては、窓部１２をレンズカバー２０１の両側面上部に設ける構成で説明した。しかし、配置は両側面上部に限定されない。レンズ本体２０２上に可動式光源ユニット２０４を取付けることが可能で、略対向する位置に窓部１２を設けることができる配置であればよい。
【００９２】
また本発明は、撮像素子を含むカメラと、カメラに被写体からの光を導くレンズ装置を含む撮像装置においても適用可能である。このような撮像装置に用いられる場合には、前述のカメラに被写体からの光を導くレンズ装置として、本実施形態の光学装置を用いることが望ましい。
【００９３】
以上、本発明の好ましい実施形態について説明したが、本発明はこれらの実施形態に限定されず、その要旨の範囲内で種々の変形及び変更が可能である。
【符号の説明】
【００９４】
１０１  レンズカバー
１０２  レンズ本体
１０４  可動式光源ユニット
１２  窓部
１９  光源
【図１】
2019003013.tif 000003
【図２】
2019003013.tif 000004
【図３】
2019003013.tif 000005
【図４】
2019003013.tif 000006
【図５】
2019003013.tif 000007
【図６】
2019003013.tif 000008
【図７】
2019003013.tif 000009
【図８】
2019003013.tif 000010
【図９】
2019003013.tif 000011
【図１０】
2019003013.tif 000012
【図１１】
2019003013.tif 000013